(57)【特許請求の範囲】
【請求項１】
軸筒と、該軸筒内に形成した内段部に当接する位置まで後退するよう前後動可能に設けられ先端に芯保護パイプを有するコネクターと、該コネクターを後退方向に付勢するばねと、軸筒の後端に突出するノック部材をノックすることにより芯保護パイプの先端から芯を繰り出すよう上記コネクターに設けた芯繰出機構と、上記軸筒の外周に前後動可能に嵌挿され上記ノック部材に対向する後端部を有する外装パイプと、該外装パイプに連結され上記コネクターの後端に当接可能に上記軸筒内に挿入された押しパイプを具備し、上記軸筒と外装パイプ間には、該外装パイプが前進したとき押しパイプを介して上記芯保護パイプが軸筒の先端から突出するようコネクターを前進させ、該外装パイプが後退して押しパイプを後退させたとき芯保護パイプが軸筒内に収納されるよう上記コネクターの後退動を許容するとともに上記外装パイプの後端部が上記ノック部材のノックを阻止する位置に移動するよう上記外装パイプの前進位置と後退位置を規制しかつ前進位置と後退位置で該外装パイプをその位置に保持する案内部材が設けられていること特徴とする筆記具。
【請求項２】
上記案内部材は、軸筒の長手方向に延びるガイド溝と該ガイド溝の前後端で周方向に延びる保持溝を有する溝部と、該溝部に摺動可能に係合する案内突起を具備し、該溝部と案内突起はいずれか一方の部材が上記軸筒に設けられ、他方の部材が上記外装パイプに設けられていることを特徴とする請求項１に記載の筆記具。
【請求項３】
上記軸筒は後部にカムパイプを有し、上記外装パイプは後部にカム尾栓を有し、該カムパイプには上記溝部が形成され、上記カム尾栓には上記案内突起が設けられている請求項２に記載の筆記具。
【請求項４】
上記軸筒は後部にカムパイプを有し、上記外装パイプは後部にカム尾栓を有し、該カムパイプには上記案内突起が形成され、上記カム尾栓には上記溝部が設けられている請求項２に記載の筆記具。
【請求項５】
上記保持溝内に案内突起が進入した際上記外装パイプの移動に抵抗を与えるよう上記軸筒と外装パイプには摩擦的に係合可能な小突起が形成されている請求項２に記載の筆記具。
【発明の詳細な説明】
【技術分野】
【０００１】
本発明は、先端に芯保護パイプを有し、不使用時に該芯保護パイプを軸筒内に引き込むようにした筆記具に関するものである。
【背景技術】
【０００２】
製図用シャープペンシルのように、細い芯を保護するため軸筒の先端にステンレス製の芯保護パイプを設けたノック式シャープペンシルが用いられている。しかし、芯保護パイプが軸筒の先端から突出したままだと、シャープペンシルを落としたときに該パイプが曲がって使用不能になったり、携行時に該パイプが衣服等を貫いたり、破くおそれがあった。そのため、芯保護パイプを軸筒内に収納できるようにしたシャープペンシルも知られているが、ノック操作が可能であるため知らないうちにノック部材が押されて芯が突出してしまうことがあり、危険なこともあった。また、不使用時に先端の芯保護パイプと後端のノック体を軸筒内に同時に引き込み、使用時に芯保護パイプとノック体を同時に軸筒の前方および後方に突出させる構成のシャープペンシルも知られている（例えば特許文献１参照）が、ノック体を軸筒内に引き込むために複雑な円筒カム等を必要とするので、構造が複雑になり、経済的に得られない。
【特許文献１】実公昭６１−３９５９７号公報（実用新案登録請求の範囲、第１図、第２図）
【発明の開示】
【発明が解決しようとする課題】
【０００３】
本発明の解決課題は、不使用時に芯保護パイプを軸筒内に収納でき、かつノック操作を不能にし、構造が簡単で経済的に得られる筆記具を提供することである。
【課題を解決するための手段】
【０００４】
本発明によれば、軸筒と、該軸筒内に形成した内段部に当接する位置まで後退するよう前後動可能に設けられ先端に芯保護パイプを有するコネクターと、該コネクターを後退方向に付勢するばねと、軸筒の後端に突出するノック部材をノックすることにより芯保護パイプの先端から芯を繰り出すよう上記コネクターに設けた芯繰出機構と、上記軸筒の外周に前後動可能に嵌挿され上記ノック部材に対向する後端部を有する外装パイプと、該外装パイプに連結され上記コネクターの後端に当接可能に上記軸筒内に挿入された押しパイプを具備し、上記軸筒と外装パイプ間には、該外装パイプが前進したとき押しパイプを介して上記芯保護パイプが軸筒の先端から突出するようコネクターを前進させ、該外装パイプが後退して押しパイプを後退させたとき芯保護パイプが軸筒内に収納されるよう上記コネクターの後退動を許容するとともに上記外装パイプの後端部が上記ノック部材のノックを阻止する位置に移動するよう上記外装パイプの前進位置と後退位置を規制しかつ前進位置と後退位置で該外装パイプをその位置に保持する案内部材が設けられていること特徴とする筆記具が提供され、上記課題が解決される。
【０００５】
また、本発明によれば、上記案内部材は、軸筒の長手方向に延びるガイド溝と該ガイド溝の前後端で周方向に延びる保持溝を有する溝部と、該溝部に摺動可能に係合する案内突起を具備し、該溝部と案内突起は、いずれか一方の部材を上記軸筒に設け、他方の部材を上記外装パイプに設けることができる。さらに、これらの溝部と案内突起をカムパイプとカム尾栓に形成し、このカムパイプを軸筒の後部に設け、カム尾栓を外装パイプに設けるようにした上記筆記具が提供され、上記課題が解決される。
【発明の効果】
【０００６】
本発明は上記のように構成され、軸筒と、該軸筒内に形成した内段部に当接する位置まで後退するよう前後動可能に設けられ先端に芯保護パイプを有するコネクターと、該コネクターを後退方向に付勢するばねと、軸筒の後端に突出するノック部材をノックすることにより芯保護パイプの先端から芯を繰り出すよう上記コネクターに設けた芯繰出機構と、上記軸筒の外周に前後動可能に嵌挿され上記ノック部材に対向する後端部を有する外装パイプと、該外装パイプに連結され上記コネクターの後端に当接可能に上記軸筒内に挿入された押しパイプを具備し、上記軸筒と外装パイプ間に、該外装パイプが前進したとき押しパイプを介して上記芯保護パイプが軸筒の先端から突出するようコネクターを前進させ、該外装パイプが後退して押しパイプを後退させたとき芯保護パイプが軸筒内に収納されるよう上記コネクターの後退動を許容するとともに上記外装パイプの後端部が上記ノック部材のノックを阻止する位置に移動するよう上記外装パイプの前進位置と後退位置を規制しかつ前進位置と後退位置で該外装パイプをその位置に保持する案内部材を設けたので、芯保護パイプを収納したり突出させる操作が外装パイプの前後動だけで可能となり、また外装パイプを後退させたときその後端部がノック部材のノック操作を阻止する位置に移動するから、不用意にノック部材がノックされるおそれもなく、安心して携行することができ、操作が容易で構成も簡単であり、経済的に得ることができる。
【０００７】
また、上記案内部材を、軸筒の長手方向に延びるガイド溝と該ガイド溝の前後端で周方向に延びる保持溝を有する溝部と、該溝部に摺動可能に係合する案内突起で構成し、該溝部と案内突起のいずれか一方の部材をカムパイプに形成し、他方の部材をカム尾栓に設け、このようにして案内部材を形成したカムパイプとカム尾栓を上記軸筒と上記外装パイプに取付けるようにすると、製造が簡単で、組み立ても効率よくでき、一層経済的である。
【発明を実施するための最良の形態】
【０００８】
図１〜図３は、本発明の筆記具の一実施例を示し、軸筒１は先端に外テーパー２を有し、外周に軟質性のあるグリップ３が一体的に若しくは別体に作って装着され、中間部に設けたフランジ４の後方に小径部５が形成されているが、硬質ないし半硬質の合成樹脂製もしくは金属製のグリップを軸筒の小径部の外周にねじ着し、前方に延びる該グリップの先端に上記外テーパーをねじ着等してもよい（図示略）。図４に示すように、軸筒１の内部には長手方向に延びるリブ６と内段部７と上記外テーパー２をねじ着するねじ部８が設けられ、
後部には図５に示すようなカムパイプ９を抜け止め及び回り止め状態で係止するための受溝１０が形成されている。該カムパイプ９は、金属製パイプ材料で作られ、上記受溝１０に係合するよう係止縁１１を内方に向けた弾性的な爪片１２と、軸筒の長手方向に延びるガイド溝１３と該ガイド溝１３の前後端で周方向に延びる保持溝１４を有する溝部１５が形成されている。
【０００９】
上記軸筒１内には上記リブ６に嵌合する摺動溝（図示略）を外周に形成した略円筒状のコネクター１６が上記リブ６に案内されて前後方向に移動可能に収納され、該コネクター１６は上記内段部７に当接する位置まで後退するようばね１７で付勢されている。該コネクター１６の前部にはステンレス製の芯保護パイプ１８を先端に有する内テーパー１９がねじ着等により連結されている。該芯保護パイプ１８は上記外テーパー２の先端に設けた開口から前方に突出可能に設けられ、該内テーパー１９内には芯２０を弾性的に保持する適宜構造の芯ブレーカー２１が設けられている。コネクターを付勢する上記ばね１７は上記外テーパー２と内テーパー１９の間に設けられている。該コネクター１６内には、ノック操作により芯保護パイプ１８の先端から芯２０を繰り出すよう適宜の芯繰出機構が設けられている。なお、上記外テーパーと内テーパーは合成樹脂、金属材料等適宜の材料で形成することができるが、両テーパーを金属材料で形成した場合は、動作を円滑にするため、内テーパーの外周に合成樹脂製のスリーブを装着して外テーパーに内接するようにしてもよい（図示略）。
【００１０】
上記芯繰出機構として、図に示す実施例では、軸筒内に挿入した芯タンク２２の前端にチャックガイド２３を固着してコネクター内に前後動可能に収納し、先端にクラッチ２４を有するチャック２５をコネクターの前方から挿入して該チャックガイド２３に連結し、上記チャックガイド２３をノックスプリング２６で後方に付勢し、上記芯タンクをノックすることにより芯を繰り出す形式の公知の芯繰出機構を用いているが、ボールチャック形式の芯繰出機構等を用いてもよい。上記芯タンク２２の後端には軸筒１から突出する位置にノック部材２７が設けられている。図１においては、芯タンク２２の後端開口部に消しゴムホルダー２８を装着し、該消しゴムホルダー２８内に消しゴム２９を挿入し、ノック３０を後端に取付けたノックキャップ３１を消しゴムホルダー２８の外面に着脱可能に装着してノック部材２７を構成しているが、その他適宜の構成にすることができる。
【００１１】
上記軸筒１の小径部５の外周には前後動可能に外装パイプ３２が挿入され、該外装パイプ３２の後端部３３は上記ノック部材２７のノック３０の前面に対向している。この外装パイプ３２の後端部３３とノック３０間の距離は、外装パイプが前進して上記芯保護パイプ１８が外テーパー２の先端から突出している状態のとき、ノックを押圧して芯繰り出し操作ができる間隔に形成されている。また、後記するように外装パイプが後退して芯保護パイプが外テーパー内に収納されたとき、上記後端部３３がノック３０に近接する位置に存するように形成されている。なお、外装パイプ３２の適宜位置には適宜のクリップを設けてもよい（図示略）。
【００１２】
上記外装パイプ３２には上記コネクター１６の後端に当接可能に上記軸筒１内に挿入した押しパイプ３４が連結されている。実施例においては、該押しパイプ３４は上記外装パイプ３２の後部に設けたカム尾栓３５内に圧入等により連結固定されている。該カム尾栓３５は図６に示すように、後部にフランジ３６と上記外装パイプ３２をねじ着するためのねじ部３７を有し、前部は上記カムパイプ９内に移動可能に挿入できる外径の挿入部３８に形成され、該挿入部３８の外面には上記カムパイプ９に形成した溝部１５に摺動可能に係合するよう案内突起３９が設けられている。また、該挿入部３８には上記カムパイプ９に挿入するとき組み立てを容易にするようスリット４０を形成してたわみ可能に形成されている。
【００１３】
上記軸筒１と外装パイプ３２間には、該外装パイプ３２が前進したとき押しパイプ３４を介して上記芯保護パイプ１８が軸筒１の先端から突出するよう上記コネクター１６を前進させ、該外装パイプ３２が後退して押しパイプ３４を後退させたとき芯保護パイプ１８が軸筒１内に収納されるよう上記コネクター１６の後退動を許容するとともに上記外装パイプ３２の後端部３３が上記ノック部材２７のノックを阻止する位置に移動するよう上記外装パイプ３２の前進位置と後退位置を規制しかつ前進位置と後退位置で該外装パイプをその位置に保持する案内部材が設けられている。図１等に示す実施例では、上記図５、図６に示すように、該案内部材は上記カムパイプ９に形成した溝部１５と該溝部１５に摺動可能に係合するよう上記カム尾栓３５に形成した案内突起３９で構成され、上記溝部１５の長手方向に延びるガイド溝１３の長さで外装パイプ３２の前進位置と後退位置を規制し、この前進位置と後退位置で外装パイプ３２を周方向に回転して上記案内突起３９を周方向に延びる保持溝１４に挿入させることにより外装パイプ３２をその位置に保持している。
【００１４】
図８、図９は案内部材の他の実施例を示し、カムパイプ４１には軸筒の受溝１０に係止するための係止縁を有する弾性的な爪片４２と内方に突出する案内突起４３が設けられている。カム尾栓４４の挿入部４５には上記案内突起４３が摺動可能に係合するガイド溝４６と保持溝４７を有する溝部４８とスリット４９が設けられ、後端には図６の実施例とほぼ同様にフランジ５０と外装パイプをねじ着するためのねじ部５１が形成されている。そして、この溝部４８の長手方向に延びるガイド溝４６と、該ガイド溝４６の前後端から周方向に延びる保持溝４７内に上記案内突起４３が摺動可能に係合しているから、上記実施例と同様に、外装パイプ３２は前進位置と後退位置が規制され、かつ前進位置と後退位置で周方向に回転することによりその位置に保持される。
【００１５】
なお、上記各実施例においては、カムパイプとカム尾栓に溝部材と案内突起を形成するようにしてあるが、上記案内部材はその他の適所に設けることができ、例えば上記カムパイプとカム尾栓を省略して上記軸筒１と外装パイプ３２に案内部材を直接形成してもよい。
【００１６】
図１０〜図１３は軸筒５２と外装パイプ５３に直接案内部材を形成した一実施例を示し、図１２に示すように、軸筒５２には軸方向（長手方向）に延びるガイド溝５４と、該ガイド溝５４の両端で周方向に延びる保持溝５５を有する溝部５６が形成され、該保持溝５５に沿って山形状の小突起５７が設けられている。この溝部は上記実施例と相違し、軸筒５２の外面に形成された凹みであって軸筒の内面まで貫通していない。また、後端には外装パイプの案内突起の挿入を案内するよう傾斜面５８が形成され、かつ長手方向に延びるスリット５９が設けられ、挿入時に若干撓み可能に形成してある。なお、図１０に示すように、後部の内面には補強のための金属製の押えパイプ６０を挿入してもよい。
【００１７】
外装パイプ５３には、図１３に示すように内面に上記軸筒５２の溝部５６に摺動可能に係合する案内突起６１が一体的に形成されている。また、この案内突起６１の長手方向には微小の山形状の小突起６２が形成され、該小突起６２は案内突起６１が上記保持溝５５に進入した際、上記軸筒５２の保持溝５５に沿って設けた小突起５７に摩擦的に係合して外装パイプの移動に弱い抵抗を与え、その位置を確認してロックできるようにしてある。なお、上記実施例と同様に、カム尾栓３５に取付けた押しパイプ３４は上記軸筒の内方を通って前方に延びている。
【００１８】
図１１を参照し、上記外装パイプ５３を軸筒５２の後端から挿入して上記外装パイプ５３に設けた案内突起６１を上記軸筒５２に設けた溝部５６に係合させると、上述した実施例と同じように軸筒の長手方向および周方向に外装パイプを移動させた際、その移動を制御することができる。なお、上記軸筒に案内突起を設け、外装パイプに溝部を設けるようにしてもよい。
【００１９】
使用に際し、上記外装パイプ３２、５３を前進させると上記押しパイプ３４が前進して上記コネクター１６を前方に押し出し、芯保護パイプ１８を外テーパー２の先端開口から突出させ、該外装パイプ３２、５３を周方向に回転して案内突起を保持溝に係合せると、芯保護パイプが突出した筆記状態に保持することができる。したがって、ノック部材２７をノックして芯を繰り出し、図１に示すような状態で使用することができる。
【００２０】
また、不使用時は、上述の位置から反対方向に外装パイプ３２、５３を回転し、案内突起を保持溝からガイド溝に対応する位置に戻して該外装パイプ３２、５３を後退させると、図２に示すように、芯保護パイプ３２はばね１７に押されて軸筒１内に収納され、上記コネクター１６は内段部７に当たって後退が阻止される。さらに外装パイプを後退させると、案内突起はガイド溝の後退位置に達し、そこで周方向に回転して案内突起を保持溝に係合させると、該外装パイプ３２、５３は後退位置に保持される。この位置では、図３に示すように、外装パイプの後端部３３はノック部材２７のノック３０の前面に近接する位置に移動しているから、ノック部材２７をノック操作することができない。したがって、不使用状態では上記芯保護パイプ１８を軸筒１内に収納すると共にノック部材２７のノック操作を不能にして危険を防止することができる。この状態から使用状態に戻すには、外装パイプ３２、５３を上述の位置から反対方向に回転して上記保持溝から案内突起をガイド溝に移行させ、その後上述のようなノック操作をすればよい。
【図面の簡単な説明】
【００２１】
【図１】本発明の一実施例を示し、使用状態の断面図。
【図２】芯保護パイプを収納する途中の断面図。
【図３】収納状態の断面図。
【図４】軸筒を示し、Ａは平面図、Ｂは断面図。
【図５】カムパイプを示し、Ａは平面図、Ｂは正面図、Ｃは断面図、Ｄはカム部の展開図。
【図６】カム尾栓を示し、Ａは平面図、Ｂは正面図、Ｃは断面図。
【図７】カム尾栓に押パイプを圧入した構造を示す説面図。
【図８】カムパイプの他の実施例を示し、Ａは平面図、Ｂは断面図、Ｃは案内突起部分の縦断面図
【図９】カム尾栓の他の実施例を示し、Ａは平面図、Ｂは正面図、Ｃは断面図、Ｄはカム部の展開図。
【図１０】他の実施例を示す一部の断面図。
【図１１】図１０に示す実施例の案内部材の動作を示す説明図。
【図１２】図１０に示す実施例の軸筒の一部を示し、Ａは平面図、Ｂは正面図、Ｃは断面図。
【図１３】図１０に示す実施例の外装パイプの一部を示し、Ａは断面図、Ｂは案内突起部分を示す断面図、Ｃは小突起部分の拡大図。
【符号の説明】
【００２２】
１、５２    軸筒
２    外テーパー
７    内段部
９、４１  カムパイプ
１３、４６、５４  ガイド溝
１４、４７、５５  保持溝
１５、４８、５６  溝部
１６    コネクター
１７    ばね
１８    芯保護パイプ
１９    内テーパー
２２    芯タンク
２７    ノック部材
３２、５３    外装パイプ
３４    押しパイプ
３５、４４  カム尾栓
３９、４３、６１  案内突起
【図１】
0005022280.tif 000002
【図２】
0005022280.tif 000003
【図３】
0005022280.tif 000004
【図４】
0005022280.tif 000005
【図５】
0005022280.tif 000006
【図６】
0005022280.tif 000007
【図７】
0005022280.tif 000008
【図８】
0005022280.tif 000009
【図９】
0005022280.tif 000010
【図１０】
0005022280.tif 000011
【図１１】
0005022280.tif 000012
【図１２】
0005022280.tif 000013
【図１３】
0005022280.tif 000014